(57)【要約】【課題】複数のＡＳＰサイトにおける加盟者ページを加盟者端末から自動的に更新する方法を提供する。【解決手段】（Ａ）更新対象とするＡＳＰサイトの接続情報および認証情報を関連付けて格納部に格納する、（Ｂ）加盟者端末を管理サーバにログインし、更新しようとする加盟者ページの更新データを送信する、（Ｃ）加盟者端末が管理サーバに一時的に保持された更新データを改めて読み取るとともに、上記格納部に格納されたＡＳＰサイトの接続情報および認証情報を読み取る、（Ｄ）読み取ったＡＳＰサイトの接続情報に基づいて更新対象の加盟者ページがあるＡＳＰサイトに接続してログインし、加盟者管理画面において管理サーバから読み取った更新データを送信して加盟者ページの更新動作を実行する、（Ｅ）上記（Ｃ）および（Ｄ）を繰り返し、加盟者端末から登録されたすべてのＡＳＰサイトにおける加盟者ページの更新を実行する。【選択図】図１
2008217783.tif 000002
【特許請求の範囲】
【請求項１】
ＡＳＰ（アプリケーション・サービス・プロバイダ）サイトの加盟者端末から、あらかじめ登録された複数のＡＳＰサイトに対して自動的に接続し、認証ログイン動作を行うとともに更新データを送信して加盟者ページの更新を行なう方法であって、
（Ａ）加盟者端末において、加盟者ページの更新対象とするＡＳＰサイトの接続情報および当該ＡＳＰサイトにおける自己の認証情報を関連付けて格納部に格納するステップと、
（Ｂ）加盟者端末を管理サーバに接続し、管理サーバに対する認証データを送信して管理サーバにログインし、更新しようとする加盟者ページの更新データを管理サーバに送信するステップと、
（Ｃ）上記管理サーバにおける更新データの受け付けと保持が終了した段階で、加盟者端末が、管理サーバに一時的に保持された更新データを改めて読み取るとともに、上記格納部に格納されたＡＳＰサイトの接続情報および当該ＡＳＰサイトにおける自己の認証情報を読み取るステップと、
（Ｄ）加盟者端末が、読み取ったＡＳＰサイトの接続情報に基づいて更新対象の加盟者ページがあるＡＳＰサイトに接続し、当該ＡＳＰサイトにおける自己の認証情報を送信して加盟者管理画面にログインし、当該加盟者管理画面において管理サーバから読み取った更新データを送信して加盟者ページの更新動作を実行したのちログアウトするステップと、
（Ｅ）上記（Ｃ）および（Ｄ）のステップを繰り返し、順次登録されたすべてのＡＳＰサイトにおける加盟者ページの更新を実行することを特徴とするＡＳＰサイトにおける加盟者ページ自動更新方法。
【請求項２】
ＡＳＰ（アプリケーション・サービス・プロバイダ）サイトの加盟者端末から、あらかじめ登録された複数のＡＳＰサイトに対して自動的に接続し、認証ログイン動作を行うとともに更新データを送信して加盟者ページの更新を行なうシステムであって、
（Ａ）加盟者端末において、加盟者ページの更新対象とするＡＳＰサイトの接続情報および当該ＡＳＰサイトにおける自己の認証情報を関連付けて格納部に格納する手段と、
（Ｂ）加盟者端末を管理サーバに接続し、管理サーバに対する認証データを送信して管理サーバにログインし、更新しようとする加盟者ページの更新データを管理サーバに送信する手段と、
（Ｃ）上記管理サーバにおける更新データの受け付けと保持が終了した段階で、加盟者端末が、管理サーバに一時的に保持された更新データを改めて読み取るとともに、上記格納部に格納されたＡＳＰサイトの接続情報および当該ＡＳＰサイトにおける自己の認証情報を読み取る手段と、
（Ｄ）加盟者端末が、読み取ったＡＳＰサイトの接続情報に基づいて更新対象の加盟者ページがあるＡＳＰサイトに接続し、当該ＡＳＰサイトにおける自己の認証情報を送信して加盟者管理画面にログインし、当該加盟者管理画面において管理サーバから読み取った更新データを送信して加盟者ページの更新動作を実行したのちログアウトする手段と、
（Ｅ）上記（Ｃ）および（Ｄ）での処理を繰り返し、順次登録されたすべてのＡＳＰサイトにおける加盟者ページの更新を実行することを特徴とするＡＳＰサイトにおける加盟者ページ自動更新システム。
【請求項３】
ＡＳＰ（アプリケーション・サービス・プロバイダ）サイトの加盟者端末から、あらかじめ登録された複数のＡＳＰサイトに対して自動的に接続し、認証ログイン動作を行うとともに更新データを送信して加盟者ページの更新を行なうプログラムであって、
（Ａ）加盟者端末において、加盟者ページの更新対象とするＡＳＰサイトの接続情報および当該ＡＳＰサイトにおける自己の認証情報を関連付けて格納部に格納するステップと、
（Ｂ）加盟者端末を管理サーバに接続し、管理サーバに対する認証データを送信して管理サーバにログインし、更新しようとする加盟者ページの更新データを管理サーバに送信するステップと、
（Ｃ）上記管理サーバにおける更新データの受け付けと保持が終了した段階で、加盟者端末が、管理サーバに一時的に保持された更新データを改めて読み取るとともに、上記格納部に格納されたＡＳＰサイトの接続情報および当該ＡＳＰサイトにおける自己の認証情報を読み取るステップと、
（Ｄ）加盟者端末が、読み取ったＡＳＰサイトの接続情報に基づいて更新対象の加盟者ページがあるＡＳＰサイトに接続し、当該ＡＳＰサイトにおける自己の認証情報を送信して加盟者管理画面にログインし、当該加盟者管理画面において管理サーバから読み取った更新データを送信して加盟者ページの更新動作を実行したのちログアウトするステップとをコンピュータ装置に実行させ、
（Ｅ）上記（Ｃ）および（Ｄ）のステップを繰り返し、順次登録されたすべてのＡＳＰサイトにおける加盟者ページの更新をコンピュータ装置に実行させることを特徴とするＡＳＰサイトにおける加盟者ページ自動更新プログラム。
【発明の詳細な説明】
【技術分野】
【０００１】
本発明は、複数のＡＳＰサイトにおける加盟者ページを加盟者の端末装置から自動的に更新するＡＳＰサイトにおける加盟者ページ自動更新方法およびシステム並びにプログラムに関するものである。
【背景技術】
【０００２】
従来から、ＡＳＰ（アプリケーション・サービス・プロバイダ）サイトに加盟する加盟者に対して加盟者ページを提供することにより加盟者に対して情報発信を行なわせるＡＳＰサイトが運営されている。このようなＡＳＰサイトの一例としては、例えば、加盟者として飲食店を募り、各飲食店に対して所定フォームの加盟店ページを提供してメニューや営業時間・クーポンの有無等の情報発信を行なわせ、ＡＳＰサイトの閲覧者に対しては地図や最寄駅等から各加盟店ページを検索・閲覧を可能とする飲食店情報サイトのようなものが運用されている。
【０００３】
このようなＡＳＰサイトは、加盟者自身が加盟者ページを更新できるように、加盟者管理画面が準備され、加盟者は加盟者端末をＡＳＰサイトに接続し、加盟者管理画面にログインして所定の更新データを送信することにより、加盟者ページを更新することができるようになっている。
【０００４】
【特許文献１】特開２００２−１４９６０７号公報
【特許文献２】特表２００３−５３６１２８号公報
【発明の開示】
【発明が解決しようとする課題】
【０００５】
しかしながら、このようなＡＳＰサイトでは、加盟者は自身の広告宣伝効果をあげるために同様な情報を集めた複数のＡＳＰサイトに加盟し、各ＡＳＰサイトに加盟者ページを保有していることが少なくない。このような場合、加盟者は、加盟者管理画面にログインして更新情報を送信してからログアウトするという一連の更新作業を、自身が加盟している複数のＡＳＰサイトのそれぞれにおいて行なわなければならない。このように、更新データは同じであるにもかかわらず、各ＡＳＰサイトで同様の作業を繰り返さなければならず、極めて煩雑な作業が必要となっていた。このため、多くのＡＳＰサイトで情報発信したい加盟者であっても、煩雑な更新作業のために加盟するＡＳＰサイト数を自ら制限したり、あるいは多くのＡＳＰサイトに加盟した場合には、更新作業が滞ってしまったりする弊害が生じている。
【０００６】
本発明は、このような事情に鑑みなされたもので、複数のＡＳＰサイトにおける加盟者ページを加盟者の端末装置から自動的に更新することができるＡＳＰサイトにおける加盟者ページ自動更新方法およびシステム並びにプログラムを提供することを目的とする。
【課題を解決するための手段】
【０００７】
上記の目的を達成するために、本発明のＡＳＰサイトにおける加盟者ページ自動更新方法は、ＡＳＰ（アプリケーション・サービス・プロバイダ）サイトの加盟者端末から、あらかじめ登録された複数のＡＳＰサイトに対して自動的に接続し、認証ログイン動作を行うとともに更新データを送信して加盟者ページの更新を行なう方法であって、
（Ａ）加盟者端末において、加盟者ページの更新対象とするＡＳＰサイトの接続情報および当該ＡＳＰサイトにおける自己の認証情報を関連付けて格納部に格納するステップと、
（Ｂ）加盟者端末を管理サーバに接続し、管理サーバに対する認証データを送信して管理サーバにログインし、更新しようとする加盟者ページの更新データを管理サーバに送信するステップと、
（Ｃ）上記管理サーバにおける更新データの受け付けと保持が終了した段階で、加盟者端末が、管理サーバに一時的に保持された更新データを改めて読み取るとともに、上記格納部に格納されたＡＳＰサイトの接続情報および当該ＡＳＰサイトにおける自己の認証情報を読み取るステップと、
（Ｄ）加盟者端末が、読み取ったＡＳＰサイトの接続情報に基づいて更新対象の加盟者ページがあるＡＳＰサイトに接続し、当該ＡＳＰサイトにおける自己の認証情報を送信して加盟者管理画面にログインし、当該加盟者管理画面において管理サーバから読み取った更新データを送信して加盟者ページの更新動作を実行したのちログアウトするステップと、
（Ｅ）上記（Ｃ）および（Ｄ）のステップを繰り返し、順次登録されたすべてのＡＳＰサイトにおける加盟者ページの更新を実行することを要旨とする。
【０００８】
また、上記の目的を達成するために、本発明のＡＳＰサイトにおける加盟者ページ自動更新システムは、ＡＳＰ（アプリケーション・サービス・プロバイダ）サイトの加盟者端末から、あらかじめ登録された複数のＡＳＰサイトに対して自動的に接続し、認証ログイン動作を行うとともに更新データを送信して加盟者ページの更新を行なうシステムであって、
（Ａ）加盟者端末において、加盟者ページの更新対象とするＡＳＰサイトの接続情報および当該ＡＳＰサイトにおける自己の認証情報を関連付けて格納部に格納する手段と、
（Ｂ）加盟者端末を管理サーバに接続し、管理サーバに対する認証データを送信して管理サーバにログインし、更新しようとする加盟者ページの更新データを管理サーバに送信する手段と、
（Ｃ）上記管理サーバにおける更新データの受け付けと保持が終了した段階で、加盟者端末が、管理サーバに一時的に保持された更新データを改めて読み取るとともに、上記格納部に格納されたＡＳＰサイトの接続情報および当該ＡＳＰサイトにおける自己の認証情報を読み取る手段と、
（Ｄ）加盟者端末が、読み取ったＡＳＰサイトの接続情報に基づいて更新対象の加盟者ページがあるＡＳＰサイトに接続し、当該ＡＳＰサイトにおける自己の認証情報を送信して加盟者管理画面にログインし、当該加盟者管理画面において管理サーバから読み取った更新データを送信して加盟者ページの更新動作を実行したのちログアウトする手段と、
（Ｅ）上記（Ｃ）および（Ｄ）での処理を繰り返し、順次登録されたすべてのＡＳＰサイトにおける加盟者ページの更新を実行することを要旨とする。
【０００９】
また、上記の目的を達成するために、本発明のＡＳＰサイトにおける加盟者ページ自動更新プログラムは、ＡＳＰ（アプリケーション・サービス・プロバイダ）サイトの加盟者端末から、あらかじめ登録された複数のＡＳＰサイトに対して自動的に接続し、認証ログイン動作を行うとともに更新データを送信して加盟者ページの更新を行なうプログラムであって、
（Ａ）加盟者端末において、加盟者ページの更新対象とするＡＳＰサイトの接続情報および当該ＡＳＰサイトにおける自己の認証情報を関連付けて格納部に格納するステップと、
（Ｂ）加盟者端末を管理サーバに接続し、管理サーバに対する認証データを送信して管理サーバにログインし、更新しようとする加盟者ページの更新データを管理サーバに送信するステップと、
（Ｃ）上記管理サーバにおける更新データの受け付けと保持が終了した段階で、加盟者端末が、管理サーバに一時的に保持された更新データを改めて読み取るとともに、上記格納部に格納されたＡＳＰサイトの接続情報および当該ＡＳＰサイトにおける自己の認証情報を読み取るステップと、
（Ｄ）加盟者端末が、読み取ったＡＳＰサイトの接続情報に基づいて更新対象の加盟者ページがあるＡＳＰサイトに接続し、当該ＡＳＰサイトにおける自己の認証情報を送信して加盟者管理画面にログインし、当該加盟者管理画面において管理サーバから読み取った更新データを送信して加盟者ページの更新動作を実行したのちログアウトするステップとをコンピュータ装置に実行させ、
（Ｅ）上記（Ｃ）および（Ｄ）のステップを繰り返し、順次登録されたすべてのＡＳＰサイトにおける加盟者ページの更新をコンピュータ装置に実行させることを要旨とする。
【発明の効果】
【００１０】
すなわち、本発明によれば、加盟者端末が、管理サーバに一時的に保持された更新データを読み取るとともに、格納部に格納されたＡＳＰサイトの接続情報および当該ＡＳＰサイトにおける自己の認証情報を読み取る。そして、読み取ったＡＳＰサイトの接続情報に基づいて更新対象の加盟者ページがあるＡＳＰサイトに接続し、当該ＡＳＰサイトにおける自己の認証情報を送信して加盟者管理画面にログインし、当該加盟者管理画面において管理サーバから読み取った更新データを送信して加盟者ページの更新動作を実行したのちログアウトする。この動作を繰り返し、順次登録されたすべてのＡＳＰサイトにおける加盟者ページの更新を実行する。したがって、更新情報の入力は１回ですみ、従来のように複数のＡＳＰサイトで同様の作業を繰り返す必要がなくなり、大幅に作業が簡略化される。このため、加盟するＡＳＰサイト数を自ら制限したり、更新作業が滞ったりする不都合も防止できる。
【００１１】
また、あらかじめ、加盟者端末において加盟者ページの更新対象とするＡＳＰサイトの接続情報および当該ＡＳＰサイトにおける自己の認証情報を関連付けて格納部に格納しておいて、加盟者端末を管理サーバに接続し、管理サーバに対する認証データを送信して管理サーバにログインし、更新しようとする加盟者ページの更新データを管理サーバに送信するとともに、管理サーバでは受け付けた更新データを一時的に保持し、上記管理サーバにおける更新データの受け付けと保持が終了した段階で、加盟者端末において、上述したように管理サーバに一時的に保持された更新データを改めて読み取り、順次各ＡＳＰサイトの加盟者管理画面にログインして更新を行なう。このように、一旦ログインした管理サーバにおいて加盟者端末から更新データを受け付けて保持し、その後に改めて加盟者端末において管理サーバから更新データを読み取って各ＡＳＰサイトに接続して順次更新する。このため、例えば、更新データが登録した各ＡＳＰサイトのフォームに適合しているか等のチェックをあらかじめかけてから実際の順次更新作業を開始することができ、順次更新作業の途中に、あるＡＳＰサイトのところでエラーになって作業が停止してしまう等のトラブルを未然に防ぐことが出来る。
【発明を実施するための最良の形態】
【００１２】
以下、本発明を実施するための最良の形態について説明する。以下の説明では、本発明が適用されるＡＳＰサイトが飲食店情報の検索サイトであり、加盟者が飲食店である例を説明する。
【００１３】
図１は、本発明の一実施の形態のＡＳＰサイトにおける加盟者ページ自動更新プログラムを実行して本発明の自動更新方法を実現し、本発明の自動更新システムとして機能するシステムを含むネットワーク構成を示す図である。
【００１４】
このシステムは、ＡＳＰ（アプリケーション・サービス・プロバイダ）サイト１の加盟者端末から、あらかじめ登録された複数のＡＳＰサイト１に対して自動的に接続し、認証ログイン動作を行うとともに更新データを送信して加盟者ページの更新を行なうシステムである。
【００１５】
図において、１はＡＳＰサイト１であり、インターネット２を介して加盟者端末４と接続されて通信可能に構成されている。また、３は管理サーバ３であり、同じくインターネット２を介して加盟者端末４と接続されて通信可能に構成されている。
【００１６】
上記ＡＳＰサイト１は、それぞれ通信インターフェースや中央演算装置，大容量データ記憶装置などを備えたサーバシステムにおいてＨＴＭＬやＰＨＰ，ＸＭＬ等の所定の言語で構築されたウェブサイトである。上記ＡＳＰサイト１が構築されたウェブサーバは、インターネット２を介してアクセスしてきた各加盟者端末４と、例えばＨＴＴＰ（HyperText Transfer Protocol）等のプロトコルに従ってデータ通信を行う。すなわち、上記ウェブサーバは、各加盟者端末４からの要求に応じて、ＨＴＭＬやＰＨＰ等のデジタル文書記述言語により記述された文書や画像を含むデータであるウェブページを当該加盟者端末４へ向けて送信する。
【００１７】
上記各ＡＳＰサイト１には、固有のネットワークアドレス（ＵＲＬ）が与えられている。加盟者は、それぞれの加盟者端末４でこのＵＲＬを指定することにより、ＡＳＰサイト１へアクセスすることができ、上記ＨＴＭＬ等のデジタル文書記述言語により記述された文書や画像を含むデータについて、ブラウザによりホームページの閲覧をしうるようになっている。また、当該ホームページにおいて、必要に応じて文書・画像等のデータや認証情報を入力してＡＳＰサイト１に対して送信するようになっている。これらの動作の詳細については後述する。
【００１８】
上記管理サーバ３および加盟者端末４は、それぞれ通信インターフェースや大容量データ記憶装置などを備えたサーバシステムならびにコンピュータ装置であり、中央演算装置がハードディスク装置等の外部記憶装置に記録されたプログラムを読み出し、そのプログラムに従って処理を実行する。本システムは、上記加盟者端末４がインターネット２を介して管理サーバ３および各ＡＳＰサイト１と接続されて通信するとともに処理を実行することにより、後に述べるような種々の機能を実現する。
【００１９】
図２は上記加盟者端末４の詳細を示す機能ブロック図、図３は上記管理サーバ３の詳細を示す機能ブロック図、図４は上記ＡＳＰサイト１の詳細を示すウェブページ構成図である。
【００２０】
上記加盟者端末４は、インターネット２を介して管理サーバ３やＡＳＰサイト１と通信するための通信手段１１と、必要な情報を入力するキーボードやマウス等の入力部１２とを備えている。上記入力部１２から入力された情報は、一次保持部１５に一時的に記憶され、その後後述する順次更新手段１４、格納部１３、通信手段１１等においてそれぞれ処理される。
【００２１】
上記格納部１３は、加盟者ページ３２の更新対象とするＡＳＰサイト１の接続情報および当該ＡＳＰサイト１における自己の認証情報を関連付けて格納する。接続情報および認証情報は、アカウント格納部１６に格納される。また、上記格納部１３には、加盟者ページ３２の更新データとしてイメージデータがある場合にそのイメージデータを格納するイメージ格納部１７を備えている。
【００２２】
上記加盟者端末４のアカウント格納部１６には、加盟者ページ３２の更新対象とするＡＳＰサイト１の接続情報として、当該ＡＳＰサイト１の名称、アカウントおよびＵＲＬが格納されている。また、上記名称、アカウントおよびＵＲＬと関連付けて当該ＡＳＰサイト１における自己の認証情報としてのＩＤおよびパスワードが格納されている。
【００２３】
上記アカウント，ＵＲＬ，ＩＤおよびパスワードは、この例ではいずれも数字や記号を含む文字列からなる情報であり、入力部１２から入力されて一次保持部１５を介して格納される。
【００２４】
したがって、上記入力部１２、一次保持部１５等が、本発明における（Ａ）加盟者ページ３２の更新対象とするＡＳＰサイト１の接続情報および当該ＡＳＰサイト１における自己の認証情報を関連付けて格納部１３に格納する手段として機能する。
【００２５】
上記アカウント格納部１６としては、例えば、スプレッドシートを利用することができ、スプレッドシートの同じ行のセルに名称，アカウント，ＵＲＬ，ＩＤおよびパスワードを入力することにより関連付けて記憶することができる。
【００２６】
また、イメージ格納部１７には、加盟者ページ３２の更新データとしてイメージデータがある場合に、そのイメージデータが例えばＪＰＧ，ＧＩＦ，ＢＭＰ等の所定のデータ形式により所定の名称で格納される。
【００２７】
（Ｂ）上記順次更新手段１４は、加盟者端末４を管理サーバ３に接続し、管理サーバ３に対する認証データを送信して管理サーバ３にログインし、更新しようとする加盟者ページ３２の更新データを管理サーバ３に送信する手段として機能する。一方、管理サーバ３では受け付けた更新データを一時的に保持する。
【００２８】
上記加盟者ページ３２の更新データは、入力部１２によって入力されて一時保持部１５に保持され、後述するように、管理サーバ３に接続してログインしたときに、通信手段１１、２１を介して管理サーバ３に送信される。
【００２９】
更新データとしては、例えば、タイトル、本文および画像であり、タイトルおよび本文は文章データとして入力されたものが送信され、画像はイメージデータとしてイメージ格納部１７に格納されているものが送信される。なお、更新データとしては、タイトル、本文および画像すべてでなくともよく、タイトルだけ更新する場合はタイトルだけだし、タイトルと本文だけを更新する場合もあるし、画像だけを更新する場合ももちろんある。
【００３０】
（Ｃ）また、上記順次更新手段１４は、上記管理サーバ３における更新データの受け付けと保持が終了した段階で、管理サーバ３に一時的に保持された更新データを改めて読み取るとともに、上記格納部１３のアカウント格納部１６に格納されたＡＳＰサイト１の接続情報および当該ＡＳＰサイト１における自己の認証情報を読み取る手段として機能する。
【００３１】
（Ｄ）また、上記順次更新手段１４は、読み取ったＡＳＰサイト１の接続情報に基づいて更新対象の加盟者ページ３２があるＡＳＰサイト１に接続し、当該ＡＳＰサイト１における自己の認証情報を送信して加盟者管理画面であるデータ更新画面３４にログインし、当該データ更新画面３４において管理サーバ３から読み取った更新データを送信して加盟者ページ３２の更新動作を実行したのちログアウトする手段として機能する。
【００３２】
さらに、上記順次更新手段１４は、上記（Ｃ）および（Ｄ）の処理を繰り返し、順次登録されたすべてのＡＳＰサイト１における加盟者ページ３２の更新を実行する。
【００３３】
上記管理サーバ３は、インターネット２を介して加盟者端末４と通信するための通信手段２１と、加盟者端末４から送信された認証データに基づいて加盟者を認証するための認証手段２２および認証情報保持部２３と、上記加盟者端末４から送信された更新しようとする加盟者ページ３２の更新データを一時的に保持する更新データ一時保持部２５とを備えている。
【００３４】
上記認証手段２２は、加盟者端末４から送信された認証データを通信手段２１を介して受け付けて、受け付けた認証データを認証情報保持部２３に格納された認証情報と照合して正規のユーザか否かの認証を行なう。正規ユーザであればログインを許容し、その後の加盟者ページ３２の更新データの入力および送信を受け付け、正規ユーザでなければエラーメッセージを表示する。
【００３５】
上記更新データ一時保持部２５は、管理サーバ３にログインした加盟者端末４から送信された更新データ（文章データおよび／またはイメージデータ）を一時的に保持する。更新データ一時保持部２５に一時的に保持された更新データは、データチェック手段２４により、一時保持された更新データが、更新しようとする加盟者ページ３２があるＡＳＰサイト１のフォームに適合しているか等のチェックを行なう。このとき、一時保持された更新データがすべてのＡＳＰサイト１のフォームに適合していれば処理を継続し、フォームに適合していないＡＳＰサイトが更新対象となっていれば、フォームに適合したＡＳＰサイトだけの更新を継続するか、処理を中止して更新データの送信を再度行うかの選択入力を加盟者端末４を操作する加盟者に促し、選択入力された処理を実行する。
【００３６】
上記データチェック手段２４でのチェックを終えた更新データは、少なくともつぎのステップで加盟者端末４によって改めて読み取られるまで更新データ一時保持部２５で保持される。
【００３７】
上記ＡＳＰサイト１が構築されたウェブサーバは、加盟者端末４と通信するための通信部３１を備えている。また、上記ＡＳＰサイト１は、当該ＡＳＰサイト１に加盟した加盟者に開設させた加盟者ページ３２と、それぞれの加盟者ページ３２を管理するための管理ページ３０とを備えている。上記管理ページ３０は、この例では、認証画面３３と加盟者管理画面としてのデータ更新画面３４とから構成される。
【００３８】
それぞれの加盟者ページ３２と管理ページ３０とは１対１対応しており、各加盟者ページ３２ごとに管理ページ３０が設けられている。図では各加盟者ページ３２を１ページずつしか示していないが、各加盟者ページ３２は複数のページから構成されてもよいし、１つの画面を複数に分割してそれぞれに別のリソースを表示するようにしてもよく、各加盟者ページ３２の構成については特に限定する趣旨ではない。
【００３９】
また、加盟者ページ３２は、加盟者端末４を含むインターネット２に接続された各種の端末装置のブラウザにおいて表示されて閲覧可能なページである。上記認証画面３３とデータ更新画面３４とから構成される管理ページ３０も同様に、インターネット２に接続された各種の端末装置のブラウザにおいて表示されて閲覧可能なページであるが、データ更新画面３４は、認証画面３３で正しい認証情報を入力してログインした加盟者端末４でなければ表示し、閲覧等することができないようになっている。
【００４０】
上記認証画面３３は、認証情報としてのＩＤを入力するためのＩＤ入力ボックス３５、同じく認証情報としてのパスワードを入力するためのパスワード入力ボックス３６、およびログインボタン３７を備えている。加盟者端末４をＡＳＰサイト１に接続し、認証画面３３を表示させて上記ＩＤ入力ボックス３５およびパスワード入力ボックス３６に、それぞれＩＤおよびパスワードを入力してログインボタン３７にマウスポインタを合わせてクリックすることにより、ＩＤおよびパスワードが加盟者端末４からＡＳＰサイト１に送信され、図示しない認証手段によって認証されてログインされる。
【００４１】
上記データ更新画面３４は、更新情報としてタイトルを入力するためのタイトル入力ボックス３８、同じく更新情報として本文を入力するための本文入力ボックス３９、同じく更新情報としてイメージデータを入力するためのイメージ入力ボックス４０を備えている。符号４１はイメージファイル参照ボタン４１であり、イメージ入力ボックス４０に入力するためのイメージデータが格納されているファイルを参照して入力を容易にするようになっている。また、上記タイトル入力ボックス３８、本文入力ボックス３９およびイメージ入力ボックス４０に入力したデータをＡＳＰサイト１に送信して加盟者ページ３２を更新するための送信ボタン４２および入力したデータをキャンセルするキャンセルボタン４３を備えている。
【００４２】
上記システムにおいて、本発明のＡＳＰサイトにおける加盟者ページ自動更新方法は、例えばつぎのようにして実行される。
【００４３】
まず、加盟者端末４において必要な情報の格納処理を行なう。
【００４４】
すなわち、（Ａ）加盟者端末４において、加盟者ページ３２の更新対象とするＡＳＰサイト１の接続情報であるＵＲＬすなわち管理ページ３０の認証画面３３のＵＲＬ、当該ＡＳＰサイト１における自己の認証情報である上記認証画面３３において入力すべきＩＤおよびパスワードを関連付けてアカウント格納部１６に格納する。このとき、複数のＡＳＰサイト１が更新対象であれば、更新対象とするすべてのＡＳＰサイト１の接続情報および認証情報を格納する。
【００４５】
ついで、加盟者端末４の管理サーバ３での認証作業と更新データの送信を行なう。
【００４６】
すなわち、（Ｂ）加盟者端末４を管理サーバ３に接続し、管理サーバ３に対する認証データであるＩＤおよびパスワードを送信して管理サーバ３にログインする。そして、更新しようとする加盟者ページ３２の更新データを管理サーバ３に送信する。更新データは、入力部１２で入力され一時保持部１５に保持されていたタイトルデータおよび／または本文データ、ならびにイメージ格納部１７に格納されていたイメージデータである。
【００４７】
一方、管理サーバ３では受け付けた更新データを一時的に更新データ一時保持部２５に保持し、データチェック手段２４により、受け付けた更新データが、更新対象とするすべてのＡＳＰサイト１のフォームに適合しているか等のチェックを行なう。更新対象とするＡＳＰサイト１の情報は、加盟者端末４から管理サーバ３に更新データを送信する際に、アカウント格納部１６から読み出して管理サーバ３に送信されたものを用いることができる。
【００４８】
つぎに、加盟者端末４において、各ＡＳＰサイト１の加盟者ページ３２の順次更新処理を行う。
【００４９】
すなわち、（Ｃ）上記管理サーバ３における更新データの受け付けと保持が終了した段階で、加盟者端末４では、管理サーバ３に一時的に保持された更新データを改めて読み取り、上記アカウント格納部１６に格納された各ＡＳＰサイト１の接続情報（管理ページ３０の認証画面３３のＵＲＬ）および当該各ＡＳＰサイト１における自己の認証情報（上記認証画面３３において入力すべきＩＤおよびパスワード）を読み取る。
【００５０】
また、（Ｄ）加盟者端末４では、読み取ったＡＳＰサイト１の接続情報すなわち更新対象の加盟者ページ３２があるＡＳＰサイト１に接続して管理ページ３０の認証画面３３のＵＲＬに基づいて当該ＡＳＰサイト１の加盟者管理画面であるデータ更新画面３４にログインする。このとき、加盟者端末４の順次更新手段１４は、管理ページ３０の認証画面３３を構築しているＨＴＭＬ（ＰＨＰを含む），ＸＭＬ等のマークアップ言語のタグを認識してＩＤを入力するためのテキストボックスであるＩＤ入力ボックス３５を認識する。ＩＤ入力ボックス３５を認識すると、そこにカーソルを移動する命令を出して実行したのち、読み取ったＩＤを入力することによりＩＤの入力を完了する。パスワード入力ボックス３６の認識とパスワードの入力も同様にして行なう。
【００５１】
当該データ更新画面３４において管理サーバ３から読み取った更新データを送信して加盟者ページ３２の更新動作を実行したのちログアウトする。このとき、加盟者端末４の順次更新手段１４は、データ更新画面３４を構築しているＨＴＭＬ（ＰＨＰを含む），ＸＭＬ等のマークアップ言語のタグを認識してタイトルを入力するためのテキストボックスであるタイトル入力ボックス３８、あるいは本文入力ボックス３９、イメージ入力ボックス４０を認識する。タイトル入力ボックス３８を認識すると、そこにカーソルを移動する命令を出して実行したのち、読み取ったタイトルを入力することによりタイトルの入力を完了する。以下、本文、イメージの入力も同様にして行なう。すべての更新データの入力が完了すると、同様にタグ認識により送信ボタン４２を認識して送信命令を送信する。
【００５２】
そして、（Ｅ）上記（Ｃ）および（Ｄ）での処理を繰り返し、順次登録されたすべてのＡＳＰサイト１における加盟者ページ３２の更新を実行する。
【００５３】
上記（Ｃ）および（Ｄ）の処理およびそれを繰り返す処理（Ｅ）は、例えば、ＵＷＳＣ等のプログラムを使用して行なうことができる。
【００５４】
すなわち、処理（Ｃ）における、加盟者端末４での管理サーバ３に一時的に保持された更新データを改めて読み取る動作、上記アカウント格納部１６に格納された各ＡＳＰサイト１の接続情報および当該各ＡＳＰサイト１における自己の認証情報を読み取る動作をそれぞれ記憶しておいて順次実行する。また、処理（Ｄ）における、加盟者端末４で読み取ったＡＳＰサイト１の接続情報に基づいて当該ＡＳＰサイト１の加盟者管理画面であるデータ更新画面３４にログインする動作、当該データ更新画面３４において管理サーバ３から読み取った更新データを送信して加盟者ページ３２の更新動作を実行したのちログアウトする動作をそれぞれ記憶しておいて順次実行する。
【００５５】
なお、ＵＷＳＣと同様に、動作内容を記憶して実行を再生できる処理を行えるプログラムであれば、これ限定するものではなく、他のプログラムを使用することもできる。
【００５６】
以上のように、上記システム，方法およびプログラムによれば、加盟者端末が、管理サーバに一時的に保持された更新データを読み取るとともに、格納部に格納されたＡＳＰサイトの接続情報および当該ＡＳＰサイトにおける自己の認証情報を読み取る。そして、読み取ったＡＳＰサイトの接続情報に基づいて更新対象の加盟者ページがあるＡＳＰサイトに接続し、当該ＡＳＰサイトにおける自己の認証情報を送信して加盟者管理画面にログインし、当該加盟者管理画面において管理サーバから読み取った更新データを送信して加盟者ページの更新動作を実行したのちログアウトする。この動作を繰り返し、順次登録されたすべてのＡＳＰサイトにおける加盟者ページの更新を実行する。したがって、更新情報の入力は１回ですみ、従来のように複数のＡＳＰサイトで同様の作業を繰り返す必要がなくなり、大幅に作業が簡略化される。このため、加盟するＡＳＰサイト数を自ら制限したり、更新作業が滞ったりする不都合も防止できる。
【００５７】
また、あらかじめ、加盟者端末において加盟者ページの更新対象とするＡＳＰサイトの接続情報および当該ＡＳＰサイトにおける自己の認証情報を関連付けて格納部に格納しておいて、加盟者端末を管理サーバに接続し、管理サーバに対する認証データを送信して管理サーバにログインし、更新しようとする加盟者ページの更新データを管理サーバに送信するとともに、管理サーバでは受け付けた更新データを一時的に保持し、上記管理サーバにおける更新データの受け付けと保持が終了した段階で、加盟者端末において、上述したように管理サーバに一時的に保持された更新データを改めて読み取り、順次各ＡＳＰサイトの加盟者管理画面にログインして更新を行なう。このように、一旦ログインした管理サーバにおいて加盟者端末から更新データを受け付けて保持し、その後に改めて加盟者端末において管理サーバから更新データを読み取って各ＡＳＰサイトに接続して順次更新する。このため、例えば、更新データが登録した各ＡＳＰサイトのフォームに適合しているか等のチェックをあらかじめかけてから実際の順次更新作業を開始することができ、順次更新作業の途中に、あるＡＳＰサイトのところでエラーになって作業が停止してしまう等のトラブルを未然に防ぐことが出来る。
【図面の簡単な説明】
【００５８】
【図１】本発明のシステムを含むネットワーク構成を示す図である。
【図２】加盟者端末の一例を示す図である。
【図３】管理サーバの一例を示す図である。
【図４】ＡＳＰサイトの一例を示す図である。
【符号の説明】
【００５９】
１：ＡＳＰサイト
２：インターネット
３：管理サーバ
４：加盟者端末
１１：通信手段
１２：入力部
１３：格納部
１４：順次更新手段
１５：一時保持部
１６：アカウント格納部
１７：イメージ格納部
２１：通信手段
２２：認証手段
２３：認証情報保持部
２４：データチェック手段
２５：更新データ一時保持部
３０：管理ページ
３１：通信部
３２：加盟者ページ
３３：認証画面
３４：データ更新画面
３５：ＩＤ入力ボックス
３６：パスワード入力ボックス
３７：ログインボタン
３８：タイトル入力ボックス
３９：本文入力ボックス
４０：イメージ入力ボックス
４１：イメージファイル参照ボタン
４２：送信ボタン
４３：キャンセルボタン
【図１】
2008217783.tif 000003
【図２】
2008217783.tif 000004
【図３】
2008217783.tif 000005
【図４】
2008217783.tif 000006